(57)【要約】【課題】  シートスルー方式の画像読取装置又はフラットベッド方式の画像読取装置のいずれにも任意選択して配設することができるスキャナユニットを提供する。【解決手段】  ボトムフレーム２４は、案内ロッド２９が任意取付可能な案内ロッド固定部２６と、ベルト駆動機構３０が任意取付可能なベルト駆動機構取付部２８Ｒ，２８Ｌと、スキャナユニット１１が摺動するガイドレール２７と、スキャナユニット１１の保持位置を決めるための位置決め凸部４２とを具備し、スキャナユニット１１は、案内ロッド２９及びガイドレール２７に沿って移動可能であり、且つ、ボトムフレーム２４の所定位置に固定される第１保持部材５０と、スキャナユニット１１の他端側に固定されてボトムフレーム２４の位置決め凸部４２と嵌合する第２保持部材５０とにより、ボトムフレーム２４の所定位置に保持可能なものである。【選択図】  図８
2005236465.tif 000002
【特許請求の範囲】
【請求項１】
フレームに収納され、原稿に光を照射して反射光により画像を読み取るスキャナユニットの一端側に案内ロッドが挿通されるロッド穴が形成されるとともに、他端側にガイドレール上を摺動するための摺動部が設けられ、且つ、一端側又は他端側にベルト駆動機構のベルトを固定するためのベルト固定部が設けられてなる画像読取装置であって、
前記フレームは、前記案内ロッドが任意取付可能な案内ロッド固定部と、前記ベルト駆動機構が任意取付可能なベルト駆動機構取付部と、前記スキャナユニットが摺動するガイドレールと、該ガイドレール上で前記スキャナユニットの保持位置を決めるための位置決め凸部とを具備し、
前記スキャナユニットは、前記フレームに設けられた案内ロッド及びガイドレールに沿って移動可能であり、且つ、前記スキャナユニットのロッド穴に挿通されるとともに前記フレームの所定位置に固定される第１保持部材と、前記スキャナユニットの他端側に固定されて前記フレームの位置決め凸部と嵌合する第２保持部材とにより、該フレームの所定位置に保持可能なものであることを特徴とする画像読取装置。
【請求項２】
前記第１保持部材は、フレームに固定される基部と、該基部から上方へ延設された起立部と、該起立部から水平方向へ突設されて前記スキャナユニットのロッド穴に挿通される軸部とを備えてなり、
前記第２保持部材は、前記スキャナユニットの他端側に固定される固定部と、該他端から水平方向へ突出し前記位置決め凸部と係合するための切欠が形成された突出部とを備えてなるものであることを特徴とする請求項１記載の画像読取装置。
【発明の詳細な説明】
【技術分野】
【０００１】
本発明は、フラットベッド方式の画像読取装置及びシートスルー方式の画像読取装置に関する。
【背景技術】
【０００２】
スキャナ、ファクシミリ、複写機等に採用される画像読取装置には、プラテンガラスに原稿を載置して画像読取りを行うフラットベッド方式のものと、複数枚の原稿を順次給紙して画像読取りを行うシートスルー方式のものとがある。フラットベッド方式はフラットベッドスキャナ（以下「ＦＢＳ」という。）により実現されており、シートスルー方式は主にオート・ドキュメント・フィーダー（以下「ＡＤＦ」という。）により実現されている。
【０００３】
図１５は、ＡＤＦ及びＦＢＳの両方を装備した画像読取装置９００の外観を示す概略斜視図であるが、図に示すように、画像読取装置９００は、読み取るべき原稿を載置するプラテンガラス９０１が配設された読取載置台９０２と、該原稿をプラテンガラス９０１上に押圧して固定する原稿押えカバー９０３と、原稿の読取り開始等を入力するための操作パネル９０４と、記録用紙に画像を記録する画像記録部、画像を電送するための送信部、読み取った画像を記録するための記録用紙を供給する給紙カセット等を内蔵した本体９０５とを具備してなり、該プラテンガラス９０１に載置された原稿に対して読取載置台９０２内に設けられたＣＣＤ等の画像読取手段が移動して画像読取りを行うことによりＦＢＳとして機能する。また、原稿押えカバー９０３内にはＡＤＦが装備されており、該ＡＤＦにより、原稿押さえカバー９０３を閉じた状態で原稿トレイ上の原稿が排紙トレイへ搬送され、その搬送過程においてプラテンガラス９０１上の読取位置を通過する際に、読取載置台９０２内に設けられたＣＣＤ等のスキャナユニットにより、該原稿の画像読取りが行われるようになっている（例えば特許文献１、特許文献２参照）。また、画像読取装置の小型軽量化等の観点から、前記画像読取装置９００のようにＡＤＦ及びＦＢＳの両方を装備したものでなく、ＡＤＦによる画像読取りのみが可能な画像読取装置や、ＦＢＳによる画像読取りのみが可能な画像読取装置も提供されている。
【０００４】
【特許文献１】特開平１−１９４６５８号公報
【特許文献２】特願２００２−１２００７４号公報
【発明の開示】
【発明が解決しようとする課題】
【０００５】
ＡＤＦによる画像読取りのみが可能な画像読取装置では、装置本体内にスキャナユニットが固定されるので、スキャナユニットには歪み等に対する強度が求められる一方、ＦＢＳによる画像読取りのみが可能な画像読取装置では、スキャナユニットはガイドレール等のガイド部材に沿って摺動自在に配設され、ベルト駆動機構のベルト等と連結されることにより走査されるので、軽量で走査し易いものが望ましい。したがって、シートスルー方式のスキャナユニットと、フラットベッド方式のスキャナユニットとは、各々の機能を考慮してシートスルー方式又はフラットベッド方式に適応するように設計された別構造のものが採用されている。しかし、画像読取装置は小型軽量化のほかに、低コスト化の要望もあり、シートスルー方式又はフラットベッド方式に採用されるスキャナユニットも低コスト化が望まれている。
【０００６】
本発明は、かかる課題を解決すべくなされたものであり、シートスルー方式の画像読取装置又はフラットベッド方式の画像読取装置のいずれにも任意選択して配設することができるスキャナユニットを提供することを目的とする。
【課題を解決するための手段】
【０００７】
本発明は、フレームに収納され、原稿に光を照射して反射光により画像を読み取るスキャナユニットの一端側に案内ロッドが挿通されるロッド穴が形成されるとともに、他端側にガイドレール上を摺動するための摺動部が設けられ、且つ、一端側又は他端側にベルト駆動機構のベルトを固定するためのベルト固定部が設けられてなる画像読取装置であって、前記フレームは、前記案内ロッドが任意取付可能な案内ロッド固定部と、前記ベルト駆動機構が任意取付可能なベルト駆動機構取付部と、前記スキャナユニットが摺動するガイドレールと、該ガイドレール上で前記スキャナユニットの保持位置を決めるための位置決め凸部とを具備し、前記スキャナユニットは、前記フレームに設けられた案内ロッド及びガイドレールに沿って移動可能であり、且つ、前記スキャナユニットのロッド穴に挿通されるとともに前記フレームの所定位置に固定される第１保持部材と、前記スキャナユニットの他端側に固定されて前記フレームの位置決め凸部と嵌合する第２保持部材とにより、該フレームの所定位置に保持可能なものであることを特徴とする。
【０００８】
また、本発明は、前記第１保持部材は、フレームに固定される基部と、該基部から上方へ延設された起立部と、該起立部から水平方向へ突設されて前記スキャナユニットのロッド穴に挿通される軸部とを備えてなり、前記第２保持部材は、前記スキャナユニットの他端側に固定される固定部と、該他端から水平方向へ突出し前記位置決め凸部と係合するための切欠が形成された突出部とを備えてなるものであることを特徴とする。
【発明の効果】
【０００９】
本発明によれば、スキャナユニットを、フレームに設けられた案内ロッド及びガイドレールに沿って移動可能とし、且つ、スキャナユニットのロッド穴に挿通されるとともにフレームの所定位置に固定される第１保持部材と、スキャナユニットの他端側に固定されてフレームの位置決め凸部と嵌合する第２保持部材とにより、フレームの所定位置に保持可能なものとしたので、フラットベッド方式の画像読取装置に配設する場合には移動可能なスキャナユニットとして、シートスルー方式の画像読取装置の配設する場合には固定されたスキャナユニットとして、それぞれの機能にあわせて使用することができる。これにより、スキャナユニットの汎用性が高まり、量産によるコストダウンを図ることができる。また、フレームが、前記案内ロッドが任意取付可能な案内ロッド固定部と、前記ベルト駆動機構が任意取付可能なベルト駆動機構取付部と、前記スキャナユニットが摺動するガイドレールと、該ガイドレール上で前記スキャナユニットの保持位置を決めるための位置決め凸部とを具備するので、画像読取装置のフレームをフラットベッド方式及びシートスルー方式の画像読取装置で共通化することができ、スキャナユニットとともに画像読取装置のコストダウンを図ることができる。
【００１０】
また、前記スキャナユニットを、フレームに固定される基部と、該基部から上方へ延設された起立部と、該起立部から水平方向へ突設されて前記スキャナユニットのロッド穴に挿通される軸部とを備えた第１保持部材と、前記スキャナユニットの他端側に固定される固定部と、該他端から水平方向へ突出し前記位置決め凸部と係合するための切欠が形成された突出部とを備えてなる第２保持部材とで、フレームに位置決めすることにより、該スキャナユニットは前記軸部を軸として他端側が回動可能に保持されるので、フレームの歪み等をスキャナユニットが直接受けることがない。これにより、スキャナユニットに求められる強度を軽減して軽量化を図ることができる。
【発明を実施するための最良の形態】
【００１１】
図１及び図２は、本発明の実施の形態に係る画像読取装置１００の概略斜視図である。図に示すように、該画像読取装置１００は、読み取るべき原稿を載置するプラテンガラス１０が配設された読取載置台１０１と、該原稿をプラテンガラス１０上に押圧して固定する原稿押えカバー１０２とを具備してなる。また、前記読取載置台１０１には、原稿の読取り開始等を入力するための操作パネル１０３が設けられており、図には詳細に示していないが、装置本体には、記録用紙に画像を記録する画像記録部、画像を電送するための送信部、及び読み取った画像を記録するための記録用紙を供給する給紙カセット等を具備して、コピー・ファクシミリ複合機として機能するようになっている。なお、本画像読取装置１００をコピー・ファクシミリ複合機に用いるか、ファクシミリ単体に用いるかは任意である。このような画像読取装置１００は、フラットベッド方式及びシートスルー方式での画像読取りを行うことができ、フラットベッド方式で原稿を読み取る場合には、図２に示すように原稿押さえカバー１０２を開いて読取載置台１０１のプラテンガラス１０上に原稿を載置し、原稿押さえカバー１０２を閉じた状態で読取載置台１０１内のスキャナユニット（不図示）を走査することにより画像読取りが行われ、シートスルー方式で原稿を読み取る場合には、図１に示すように原稿押さえカバー１０２を閉じた状態でＡＤＦ１により原稿が自動搬送され、その搬送過程において読取載置台１０１内のスキャナユニットにより画像読取りを行う。
【００１２】
ＡＤＦ１は、前記原稿押えカバー１０２内に配設されて、プラテンガラス１０の読取位置Ｐへ原稿を連続的に繰り込むものであり、図３に示すように、本ＡＤＦ１によって原稿トレイ２から搬送路へ繰り込まれた原稿は、ペーパガイド３に沿って上方から下方へＵターンするように反転して読取位置Ｐに至り、該読取位置Ｐを通過する際にスキャナユニット１１により原稿の画像が読み取られて、原稿トレイ２の下方の排紙トレイ４へ排出される。なお、本ＡＤＦ１によって搬送される原稿は、コピーやプリンタに汎用される各種サイズの所謂普通紙の他、搬送路を通過可能な厚みであって横向きＵ字状の搬送路に沿って湾曲可能なものである。
【００１３】
図に示すように、ＡＤＦ１は、複数枚の原稿を積重状態で担持する原稿トレイ２と、原稿トレイ２の下流側に設けられたペーパガイド３と、搬送後の原稿を積重状態で担持する排紙トレイ４と、原稿トレイ２上の原稿を搬送路へ送り込むピックアップローラ５及び給紙ローラ６と、該給紙ローラ６と圧接する分離パッド７と、搬送路において原稿を搬送する搬送ローラ８とを具備してなる。
【００１４】
原稿トレイ２は、原稿押えカバー１０２の上部に、原稿を供給する方向へ若干傾斜させて設けられており、その上面において複数枚の原稿を積重状態で担持するようになっている。使用者が原稿トレイ２上に原稿を載置する場合には、原稿トレイ２の傾斜下端側に原稿の先端を揃えるようにして載置する。また、原稿トレイ２には、原稿の幅方向の位置を規制して原稿の斜め送りを防止する可変式のガイド部材２ａが設けられている。
【００１５】
前記原稿トレイ２の下流側には、ペーパガイド３が原稿押えカバー１０２内に配設されて、該ペーパガイド３が搬送路の内側ガイド面となり、原稿押えカバー１０２のカバー本体１０２ａ及びＡＤＦカバー１０２ｂが搬送路の外側ガイド面となって、排紙トレイ４と連通する横向きＵ字状の搬送路を形成している。なお、搬送路を構成する外側ガイド面は鉄板等を湾曲してなるガイド板を別途原稿押えカバー１０２に設けることもできるが、原稿押えカバー１０２のカバー本体１０２ａ及びＡＤＦカバー１０２ｂと外側ガイド面とをプラスチック材を用いて一体成形することにより、部品点数が削減され組付けも容易となるので好ましい。
【００１６】
前記ペーパガイド３には、図に示すように、前記ピックアップローラ５、給紙ローラ６、分離パッド７並びに分離パッドホルダ７０、搬送ローラ８等が組み付けられて、原稿押えカバー１０２のカバー本体１０２ａに配設されている。なお、図には示していないが、ペーパガイド３には、モータや駆動ギヤ等の駆動ユニット等も組み付けられ、カバー本体１０２ａには、前記ＡＤＦカバー１０２ｂが開閉可能に配設される。
【００１７】
給紙ローラ６は、ペーパガイド３の上方に配設されて、原稿トレイ２から繰り込まれた原稿と圧接しながら回転することにより該原稿を搬送路へ送り込むものであり、例えば、金属製のローラ軸にシリコン製、ＥＰＤＭ（Ｅｔｈｙｌｅｎｅ−Ｐｒｏｐｙｌｅｎｅ−Ｄｉｅｎｅ  Ｍｅｔｈｙｌｅｎｅ  ｌｉｎｋａｇｅ：エチレンプロピレンジエン三元共重合体）製のローラが固定されてなり、該ローラ軸はペーパガイド３により回転自在に支持されている。さらに、該給紙ローラ６の上流側には、原稿トレイ２に載置された原稿の最上紙を繰り出すためのピックアップローラ５が配設されている。ピックアップローラ５も、給紙ローラ６と同様に、原稿と圧接しながら回転することにより該原稿を搬送路へ繰り込むものであり、金属製のローラ軸にシリコン製、ＥＰＤＭ製のローラが固定されてなる。該ピックアップローラ５は、不図示の給紙クラッチにより上下方向に揺動する揺動アーム５１に支持されており、該揺動アーム５１の揺動により、ピックアップローラ５は原稿トレイ２に着座可能である。原稿トレイ２に原稿を載置する際等の通常の状態では、ピックアップローラ５は原稿トレイ２から離されており、原稿繰込み時に原稿の最上紙と接触するように降下し、ピックアップローラ５及び給紙ローラ６が回転することにより、原稿の最上紙が搬送路ヘ繰り込まれる。なお、図には示していないが、前記原稿トレイ２の原稿の有無は原稿セットセンサにより検知され、該検知信号に基づいて制御手段がピックアップローラ５、揺動アーム５１、及び給紙ローラ６の動作を制御するものとなっている。
【００１８】
原稿トレイ２から搬送路へ繰り込まれた原稿は、給紙ローラ６と分離パッド７のニップ部で確実に１枚ずつ分離される。分離パッド７は、原稿に対する摩擦係数が給紙ローラ６の原稿に対する摩擦係数より低く、且つ原稿同士の摩擦係数より高いものであり、例えばウレタン系樹脂で成形することが可能である。このような分離パッド７が分離パッドホルダ７０の上面に貼設されて給紙ローラ６と圧接している。分離パッドホルダ７０は、分離パッド７を支持して前記ペーパガイド３に揺動可能に取り付けられるものであり、コイルバネ７１により上方ヘ付勢されている。これらにより、例えば、ピックアップローラ５により給紙ローラ６と分離パッド７のニップ部に搬送された原稿が、２枚の原稿が積層状態で重送されたとすると、上側の原稿は、上面が給紙ローラ６と圧接し且つ下面が下側の原稿と接した状態にあるので、給紙ローラ６の回転に従って搬送路へ繰り込まれる。一方、下側の原稿は、上面が上側の原稿と接し且つ下面が分離パッド７と圧接した状態にあるので、分離パッド７によりニップ部で制止される。このようにして、給紙ローラ６と分離パッド７のニップ部で原稿が確実に分離される。
【００１９】
給紙ローラ６及び分離パッド７により１枚ずつ分離されて搬送路に繰り込まれた原稿は、その後、搬送ローラ８により横向きＵ字状の搬送路に沿って搬送される。図に示すように、横向きＵ字状の搬送路の折返し部分の直下流と搬送路の最下流の位置に、原稿を搬送するための搬送ローラ８が夫々配置されており、該搬送ローラ８は、ローラ軸にモータ等の駆動源からの回転力が伝達されることにより回転するものであり、前記ペーパガイド３に回転自在に支持されている。搬送ローラ８の対向位置には、該搬送ローラ８の回転に従動する従動ローラ８１が、搬送路を挟むようにして設けられており、これら搬送ローラ８及び従動ローラ８１で原稿をニップしながら搬送するようになっている。これにより、前記原稿は読取位置Ｐを経て排紙トレイ４へ搬送され、該読取位置Ｐにおいてスキャナユニット１１により画像読取が行われる。なお、搬送ローラ８の配置は一例であり、搬送路の形状や距離に応じて、搬送ローラ８の数を適宜増減することは勿論可能である。
【００２０】
前記スキャナユニット１１は、読取載置台１０１内に装備されており、原稿へ光を照射し、該原稿からの反射光を電気信号に変換して画像読み取りを行う所謂縮小光学系のＣＣＤ読取ユニットであり、図４及び図６に示すように、略直方体状の筐体１２に、光源１３、反射ミラー１４、集光レンズ１５及びＣＣＤイメージセンサ１６が配設されてなる。図５に示すように、筐体１２の一端側には、案内ロッドブッシュ１７が一対設けられており、該案内ロッドブッシュ１７より下方にベルトクランプ（ベルト固定部）１８が設けられている。該案内ロッドブッシュ１７は、読取載置台１０１内に設けられた案内ロッド２９を挿通するためのものであり、筐体１２から側方に突出して水平方向に貫通孔（ロッド穴）１７ａが形成されており、該貫通孔１７ａが同軸線となるように走査方向に所定間隔で配置されている。これにより、スキャナユニット１１は案内ロッド２９に沿って移動可能となっている。また、ベルトクランプ１８は、読取載置台１０１内に設けられたベルト駆動機構のベルト３３を固定するためのものであり、上下に所定間隔で配置された狭持片１８ａによりベルト３３を狭持するようになっている。これにより、不図示のプーリ間に巻回されたベルト３３の回転運動がスキャナユニット１１に伝達されてスキャナユニット１１がベルト３３とともに移動する。一方、図４に示すように、筐体１２の他端側の底部には摺動部１９が形成されている。該摺動部１９は筐体１２の他端側の底部を走査方向に渡って所定幅で切り欠いたものであり、該摺動部１９が読取載置台１０１のガイドレール２７（図７参照）上に載置されることにより、一端側に案内ロッド２９が挿通されたスキャナユニット１１を水平に維持してガイドレール２７上を摺動するようになっている。なお、摺動部１９には、摺動摩擦を低減するためにフッ素樹脂等の摩擦係数の小さい素材からなる摺動テープを貼設してもよい。
【００２１】
また、筐体１２の上面には光源１３が幅方向に渡って設けられており、図６に示すように、筐体１２内には反射ミラー１４、集光レンズ１５及びＣＣＤイメージセンサ１６が配設されている。該筐体１２には光源１３に沿って開口１２ａが穿設されており、該開口１２ａから原稿の反射光が筐体１２内に進入するようになっている。筐体１２内に進入した反射光Ｒは、適宜配設された反射ミラー１３により順次反射されて集光レンズ１５へ導かれる。このような反射ミラー１３の配置はＣＣＤイメージセンサ１６に反射光Ｒを結像するために必要な光路長により適宜設定される。集光レンズ１５に導かれた反射光ＲはＣＣＤイメージセンサ１６に結像されて、ＣＣＤイメージセンサ１６により電気信号に変換されて出力される。この電気信号に基づいて原稿の画像が記録部により記録用紙に記録され、又は送信部により送信されるが、これら記録部及び送信部は公知且つ任意の構成なので詳細な説明は省略する。
【００２２】
また、図７に示すように、スキャナユニット１１には、前記摺動部１９と隣り合うようにして第２保持部材取付部２０が設けられている。該第２保持部材取付部２０は、ネジ孔２１ａが形成されたボス部２１が鉛直下方へ向かって延出され、その走査方向両側に所定間隔で凸部２２が夫々延出され、該ボス部２１及び凸部２２に渡って適宜補強リブ２３が縦横に形成されてなるものである。
【００２３】
前記読取載置台１０１の筐体は、図２に示すように、ボトムフレーム２４及びフレームカバー２５からなり、該フレームカバー２５の開口部にプラテンガラス１０が配設されている。図８に示すように、ボトムフレーム２４には、案内ロッド固定部２６、ガイドレール２７、及びベルト駆動機構取付部２８Ｒ、２８Ｌが設けられている。案内ロッド固定部２６は、前記スキャナユニット１１の走査方向を規制するための案内ロッド２９を嵌め込み固定するためのものであり、ボトムフレーム２４の内側面の所定位置に一対設けられている。該案内ロッド固定部２６により案内ロッド２９がスキャナユニット１１の奥側の端部に対応して走査方向へ架設される。一方、ガイドレール２７は、案内ロッド２９と並行するようにボトムフレーム２４の手前側の側面に沿って設けられている。
【００２４】
また、ベルト駆動機構取付部２８Ｒ，２８Ｌは、スキャナフレーム１１を移動するための駆動力を付与するプーリ３１，３２、ベルト３３、モータ３４等からなるベルト駆動機構３０を配設するためのスペースであり、モータやプーリが固定されたブラケットがネジ止め等により固定される。該ベルト駆動機構３０は、図３及び図８に示すように、ベルト駆動機構３０は、駆動プーリ３１と従動プーリ３２間に巻架されたベルト３３が、モータ３４の駆動力で駆動プーリ３１が回転することにより周運動するように構成されたものであり、該ベルト３３が、前述したようにベルトクランプ（ベルト固定部）１８によりスキャナユニット１１に固定されている。駆動プーリ３１及びベルト３３はブラケット３５に夫々固定されて、ボトムフレーム２４の右奥隅部に設けられたベルト駆動機構取付部２８Ｒに配設され、ネジ等の固定具により固定されている。一方、従動プーリ３２もブラケット３６に固定されて、ボトムフレーム２４の左奥隅部に設けられたベルト駆動機構取付部２８Ｌに配設され、ネジ等の固定具により固定されている。これら駆動プーリ３１と従動プーリ３２間にベルト３３が巻架されることにより、前記案内ロッド２９に沿ってベルト３３が張られ、モータ３４を制御することにより該ベルト３３を介してスキャナユニット１１の走査が制御されている。これにより、フラットベッド方式で原稿を読み取る際に、スキャナユニット１１がプラテンガラス１０の下方を移動できるようになっている。また、スキャナユニット１１のＣＣＤイメージセンサ１６からの出力や光源１３への電力供給は、ハーネス３７によりスキャナユニット１１と装置本体（不図示）とが電気的に接続されることにより行われている。
【００２５】
前述した画像読取装置１００は、そのスキャナユニット１１及びボトムフレーム２４をシートスルー方式でのみ画像読取りを行う画像読取装置２００にも使用できるようになっている。該画像読取装置２００は、図９に示すように、装置本体２０１に、前記ＡＤＦ１と同様のＡＤＦ９と、原稿の読取り開始等を入力するための操作パネル２０３が設けられてなり、フラットベッド方式による画像読取りを行わないので、前記画像読取装置１００のように原稿押さえカバー１０２は設けられていない。したがって、ＡＤＦ９により原稿を自動搬送して、その搬送過程において装置本体２０１内のスキャナユニット１１により画像読取りを行う。なお、ＡＤＦ９は前記ＡＤＦ１と同様の構成なので詳細な説明は省略し、また、本画像読取装置２００をコピー・ファクシミリ複合機に用いるか、ファクシミリ単体に用いるかは任意であり、図には示していないが、必要に応じて装置本体２０１には、記録用紙に画像を記録する画像記録部、画像を電送するための送信部、及び読み取った画像を記録するための記録用紙を供給する給紙カセット等を設けることができる。
【００２６】
図１０は、スキャナユニット１１を所定位置に保持した場合のボトムフレーム２４の構成を示すものであるが、図に示すように、前記スキャナユニット１１は、ＡＤＦ９により搬送される原稿の読取位置Ｐにおいて、一端側が第１保持部材５０により、他端側が第２保持部材６０により、ボトムフレーム２４の所定位置に位置決めされている。画像読取装置２００では、スキャナユニット１１を走査する必要がないので、前記案内ロッド２９及びベルト駆動機構３０は設けられていない。勿論、ベルト駆動機構３０等を設けたままでスキャナユニット１１を固定してシートスルー方式専用の画像読取装置２００とすることもできるが、ベルト駆動機構３０等を省けば軽量化及びコストダウンができるので好ましい。このようにスキャナユニット１１が読取位置Ｐに保持されたボトムフレーム２４に、ＡＤＦ９を備えたフレームカバー３８を配設して図９に示すような画像読取装置２００としている。以下、スキャナフレーム１１の保持構造について詳細に説明する。
【００２７】
前記第１保持部材５０は、図１１に示すように、ボトムフレーム２４に固定される基部５１と、該基部５１から上方へ延設された起立部５２と、該起立部５２から水平方向へ突設されて前記スキャナユニット１１の貫通孔１７ａに挿通される軸部５３とを備えてなる。基部５１は平板状のものであり、両端付近に位置決め用の貫通孔５４とネジ挿通孔５５が夫々設けられている。基部５１の形状や大きさは特に限定されないが、スキャナユニット１１を安定して保持するにはスキャナユニット１１の走査方向の幅と同程度の幅のものが好ましい。また、ネジ挿通孔５５は、第１保持部材をボトムフレーム２４にネジ止めする際に、スキャナフレーム１１等の部材が障害とならない位置に設ける。
【００２８】
起立部５２は、基部５１から鉛直方向に立設された平板状のものであって、走査方向の２箇所に所定間隔で並設されている。これら２つの起立部５２は、スキャナユニット１１の２つの案内ロッドブッシュ１７の貫通孔１７ａに対応させたものである。また、各起立部５２を補強するために補強リブ５６が適宜設けられている。該補強リブ５６は、軸部５３の突出方向と反対方向に主に設けられており、該軸部５３が挿通された案内ロッドブッシュ１７を起立部５２が受けた際に変形や歪みが生じることを防止している。
【００２９】
軸部５３は、前記各起立部５２の所定高さから水平方向に同軸となるように夫々突設された円柱状のものであり、各々先端部分は案内ロッドブッシュ１７の貫通孔１７ａへの挿通の容易のためにテーパー状に縮径されている。軸部５３の外径は貫通孔１７ａの内径と同程度であり、軸線方向の長さは、貫通孔１７ａの長さより長く設定されている。したがって、図１２に示すように、貫通孔１７ａに挿通された軸部５３の先端は貫通孔１７ａから突出するようになっており、該突出部分に楔状の止め部５７が夫々設けられている。該止め部５７は軸部５３の周面から出没可能なものであり、案内ロッドブッシュ１７の端面と係合して軸部５３を係止するものである。また、起立部５２に軸部５３が設けられる高さは、案内ロッド２９が架設される高さとなっている。該軸部５３は、平板状の起立部５２の平面内から突出するように設けられており、該軸部５３の基端では起立部５２の平面が鍔状に存在し、軸部５３が挿通された案内ロッドブッシュ１７の端面が当接するようになっている。
【００３０】
図１２は、前記第１保持部材５０がスキャナユニット１１の一端側を保持した状態を示すものであるが、図に示すように、ボトムフレーム２４の底面に第１保持部材５０の基部５１がネジ止め固定されている。詳細には、ボトムフレーム２４の所定位置に設けられた凸部３９が基部５１の貫通孔５４に挿通されることにより第１保持部材５０が位置決めされ、基部５１のネジ挿通孔５４にネジ４０が挿通され、該ネジ４０がボトムフレーム２４のネジ孔４１に螺合されることにより基部５１が固定されている。一方、各軸部５３はスキャナフレーム１１の案内ロッドブッシュ１７の貫通孔１７ａに夫々挿通されている。前述したように、止め部５７は軸部５３から出没可能なので、軸部５３を貫通孔１７ａに挿通する際には、その楔形状によって軸部５３に没入し、軸部５３の先端部分が貫通孔１７ａを抜けた際に再び突出して、案内ロッドブッシュ１７の端面と係合する。この状態で、案内ロッドブッシュ１７の反対側の端面は起立部５２と当接しており、該起立部５２と前記止め部５７とで案内ロッドブッシュ１７を走査方向に固定している。このようにして、スキャナユニット１１の一端側がボトムフレーム２４に保持されており、この状態でスキャナユニット１１の一端は走査方向に対して固定され、且つ、軸部５３を軸として回動可能である。
【００３１】
前記第２保持部材６０は、図１３に示すように、前記スキャナユニット１１の他端側に固定される固定部６１と、該他端から水平方向へ突出しボトムフレーム２４の位置決め凸部４２と係合するための切欠６２ａが形成された突出部６２とを備えてなるものである。固定部６１及び突出部６２は一つの平板をなしており、固定部６１が前記スキャナユニット１１の第２保持部材取付部２０に対応している。該固定部６１には、第２保持部材取付部２０のボス部２１及び凸部２２に対応した貫通孔６３が列設されており、固定部６１を補強リブ２３に当接した状態で両端の貫通孔６３に凸部２２が挿通されることにより第２保持部材６０の位置決めがなされ、中央の貫通孔６３に固定用のネジ４３が挿通されてボス部２１のネジ孔２１ａに螺合されることにより第２保持部材６０がスキャナユニット１１に固定される。一方、突出部６２の突出方向先端には、ボトムフレーム２４の位置決め凸部４２（不図示）に対応して、突出方向に所定幅で切欠６２ａが形成されている。
【００３２】
図１４は、前記第２保持部材５０がスキャナユニット１１の他端側を保持した状態を示すものであるが、図に示すように、スキャナユニット１１の一端側から突出した突出部６２の切欠６２ａがボトムフレーム２４の位置決め凸部４２と嵌合している。位置決め凸部４２は、図に示すように、ガイドレール２７上の所定位置でボトムフレーム２４の側面から突出するように鉛直方向に形成された凸条のものである。該位置決め凸部４２は、ガイドレール２７上のスキャナユニット１１の他端より外側となる位置に形成されているので、フラットベッド方式の画像読取装置１００においてスキャナユニット１１がガイドレール２７上を摺動しても、位置決め凸部４２とスキャナユニット１１が衝突することはなく、該摺動の障害とならない。このように、スキャナユニット１１の他端側から突出した第２保持部材が位置決め凸部４２と嵌合することにより、スキャナユニット１１の他端側が読取位置Ｐにおいてボトムフレーム２４に保持されており、この状態でスキャナユニット１１の他端は走査方向に対して固定され、且つ、位置決め凸部４２に沿って上下方向に移動可能である。
【００３３】
このように、スキャナユニット１１をボトムフレーム２４に対して完全に固定せずに、第１保持部材５０の軸部５３を軸として他端側がガイドレール２７に対して上下動可能に保持するのは、ボトムフレーム２４の歪み等をスキャナユニット１１が直接受けないようにするためである。例えば、画像読取装置２００の軽量化のためにボトムフレーム２４を合成樹脂の成形品とすれば、板金等をプレス加工したものより強度が低下し、画像読取装置２００を組み立てた際にボトムフレーム２４に歪み等が生じることがある。スキャナユニット１１の内部には、前述したように、光源１３、反射ミラー１４、集光レンズ１５及びＣＣＤイメージセンサ１６が配置され、原稿からの反射光をＣＣＤイメージセンサ１６へ導くようになっているので、スキャナユニットの筐体１２に歪み等が生ずれば前記反射光の光路がずれ、その結果、読取画像が劣化するおそれがある。したがって、筐体１２には歪み等が生じないような所定の強度が求められる。一方、フラットベッド方式の画像読取装置１００としてスキャナユニット１１を用いる場合にはガイドレール２７及び案内ロッド２９に沿って走査するので軽量であることが望ましい。例えば、スキャナユニット１１の筐体１２を合成樹脂の成形品とすれば、強度を高めるためには厚みを太くするか強度の高い樹脂を用いることとなるが、厚みを太くすれば重量が増し、強度の高い樹脂はコストが上がるという問題がある。したがって、スキャナユニット１１を第１保持部材５０の軸部５３を軸として他端側がガイドレール２７に対して上下動可能に保持することにより、ボトムフレーム２４に生じた歪みをスキャナユニット１１の上下動で逃がすことができ、スキャナユニット１１に求められる強度を軽減して軽量化を実現している。
【００３４】
このように、フラットベッド方式で画像読取り可能な画像読取装置１００とシートスルー方式でのみ画像を読み取る画像読取装置２００とでスキャナユニット１１を共通化し、画像読取装置１００に配設する場合にはガイドレール２７及び案内ロッド２９に沿って移動可能なものとして、画像読取装置２００の配設する場合には第１保持部材５０と第２保持部材６０とでボトムフレーム２４の読取位置Ｐに保持されたものとして、それぞれの読取り方式にあわせて使用することができる。これにより、スキャナユニット１１の汎用性が高まり、量産によるコストダウンを図ることができる。また、ボトムフレーム２４も、画像読取装置１００と画像読取装置２００とで共通化することにより同様の効果を得ることができる。
【００３５】
なお、本実施の形態で示したＡＤＦ１，９やベルト駆動機構３０の構成は一例にすぎず、本発明の要旨を逸脱しない範囲内で適宜設計変更できることは勿論であり、また、スキャナユニット１１をＣＣＤを用いた縮小光学系の読取ユニットに代えて所謂密着形イメージセンサ（Ｃｏｎｔａｃｔ  Ｉｍａｇｅ  Ｓｅｎｓｏｒ、以下「ＣＩＳ」という。）を使用したものとすることも可能である。また、画像読取装置１００をフラットベッド方式とシートスルー方式とが併用できるものとせずにフラットベッド方式の専用機としてＡＤＦ１を省いてもよいことは勿論である。
【図面の簡単な説明】
【００３６】
【図１】本実施の形態に係る画像読取装置１００の外観を示す概略斜視図である。
【図２】原稿押さえカバー１０２を開けた状態の画像読取装置１００の外観を示す概略斜視図である。
【図３】画像読取装置１００の内部構造を示す断面図である。
【図４】スキャナユニット１１の外観を示す斜視図である。
【図５】図４のＸ矢視図である。
【図６】図４のＡ−Ａ断面図である。
【図７】図４のＹ矢視図である。
【図８】画像読取装置１００におけるボトムフレーム２４の内部構成を示す平面図である。
【図９】画像読取装置２００の外観を示す概略斜視図である。
【図１０】画像読取装置２００におけるボトムフレーム２４の内部構成を示す平面図である。
【図１１】第１保持部材５０の外観を示す概略斜視図である。
【図１２】第１保持部材５０によるスキャナフレーム１１の一端側の保持構造を示す断面図である。
【図１３】第２保持部材６０と第２保持部材取付部２０を示す概略斜視図である。
【図１４】第２保持部材６０によるスキャナフレーム１１の他端側の保持構造を示す図１０のＺ領域の拡大図である。
【図１５】従来の画像読取装置９００の外観を示す概略斜視図である。
【符号の説明】
【００３７】
１１  スキャナユニット
１７ａ  貫通孔（ロッド穴）
１８  ベルトクランプ（ベルト固定部）
１９  摺動部
２４  ボトムフレーム（フレーム）
２５  案内ロッド固定部
２７  ガイドレール
２８Ｒ，２８Ｌ  ベルト駆動機構取付部
２９  案内ロッド
３０  ベルト駆動機構
３３  ベルト
４２  位置決め凸部
５０  第１保持部材
５１  基部
５２  起立部
５３  軸部
６０  第２保持部材
６１  固定部
６２  突出部
６２ａ  切欠
１００，２００  画像読取装置
【図１】
2005236465.tif 000003
【図２】
2005236465.tif 000004
【図３】
2005236465.tif 000005
【図４】
2005236465.tif 000006
【図５】
2005236465.tif 000007
【図６】
2005236465.tif 000008
【図７】
2005236465.tif 000009
【図８】
2005236465.tif 000010
【図９】
2005236465.tif 000011
【図１０】
2005236465.tif 000012
【図１１】
2005236465.tif 000013
【図１２】
2005236465.tif 000014
【図１３】
2005236465.tif 000015
【図１４】
2005236465.tif 000016
【図１５】
2005236465.tif 000017